【手続補正書】
【提出日】平成17年7月13日(2005.7.13)
【手続補正１】
【補正対象書類名】明細書
【補正対象項目名】発明の名称
【補正方法】変更
【補正の内容】
【発明の名称】光ピックアップ装置及び光ディスク装置
【手続補正２】
【補正対象書類名】明細書
【補正対象項目名】特許請求の範囲
【補正方法】変更
【補正の内容】
【特許請求の範囲】
【請求項１】
所定の波長の光を出射する光源と、
光ディスクに上記光源から出射された出射光を集光するとともに上記光ディスクからの戻り光を集光する対物レンズと、
上記光源から出射された出射光を透過し上記光ディスクからの戻り光を回折させる回折素子と、上記回折素子で回折された戻り光が入射される位置に配置され、上記光源から出射される出射光の波長変動により上記回折素子で発生する戻り光の光路変動を補正し、所定の位置に戻り光を導く光路変動補正手段とを有する複合光学素子と、
上記光路変動補正手段で光路変動が補正された戻り光を複数の受光領域で受光する受光手段とを備える光ピックアップ装置。
【請求項２】
上記複合光学素子は、上記回折素子と上記光路変動補正手段とが樹脂材料により一体成型されてなることを特徴とする請求項１記載の光ピックアップ装置。
【請求項３】
上記回折素子は、ホログラムであることを特徴とする請求項１記載の光ピックアップ装置。
【請求項４】
上記光路変動補正手段は、他の回折素子であり、上記回折素子で回折された戻り光を更に回折させることを特徴とする請求項１記載の光ピックアップ装置。
【請求項５】
上記他の回折素子は、ホログラムであることを特徴とする請求項４記載の光ピックアップ装置。
【請求項６】
更に、上記複合光学素子は、上記光路変動補正手段で光路変動が補正された戻り光が入射される位置に配置され、上記戻り光を複数に分割して上記受光手段の各受光領域に導く光分割手段を有する請求項１記載の光ピックアップ装置。
【請求項７】
上記複合光学素子は、上記回折素子と上記光路変動補正手段と上記光分割手段とが樹脂材料により一体成型されてなることを特徴とする請求項６記載の光ピックアップ装置。
【請求項８】
上記光分割手段は、複数の平面又は曲面により構成されたプリズムであることを特徴とする請求項６記載の光ピックアップ装置。
【請求項９】
上記複合光学素子は、上記プリズムが、略四角錐状に形成されてなり、上記光路変動補正手段で光路変動が補正された戻り光を４分割するとともに、
上記受光手段は、上記複合光学素子の上記プリズムで４分割された各戻り光を受光する上記受光領域が４分割されたことを特徴とする請求項８記載の光ピックアップ装置。
【請求項１０】
上記プリズムは、上記光路変動補正手段で光路変動が補正された戻り光の各面への入射角が４５°以下となるようにされていることを特徴とする請求項８記載の光ピックアップ装置。
【請求項１１】
更に、上記複合光学素子は、上記光源から出射された出射光の光路上で上記出射光を上記回折素子へ反射させ、及び／又は上記回折素子で回折された戻り光の光路上で当該戻り光を上記所定の位置へ反射させる反射手段を有することを特徴とする請求項１記載の光ピックアップ装置。
【請求項１２】
上記複合光学素子は、上記回折素子と上記光路変動補正手段と上記反射手段とが樹脂材料により一体成型されてなることを特徴とする請求項１１記載の光ピックアップ装置。
【請求項１３】
更に、上記複合光学素子は、上記光源と上記回折素子との間の光路上に配置され、上記光源から出射された出射光を０次光及び±１次光に３分割する更に他の回折素子を有し、
上記受光手段は、上記光分割手段で分割された各戻り光のうち、上記更に他の回折素子で分割された０次光を、フォーカシングエラー信号を得るために受光し、上記更に他の回折素子で分割された±１次光を、トラッキングエラー信号を得るために受光することを特徴とする請求項１記載の光ピックアップ装置。
【請求項１４】
上記複合光学素子は、上記回折素子と上記光路変動補正手段と上記更に他の回折素子とが樹脂材料により一体成型されてなることを特徴とする請求項１３記載の光ピックアップ装置。
【請求項１５】
上記更に他の回折素子は、ホログラムであることを特徴とする請求項１３記載の光ピックアップ装置。
【請求項１６】
上記光路変動補正手段は、上記光源から出射され光ビームの光路中で発生した非点収差を補正することを特徴とする請求項１に記載の光ピックアップ装置。
【請求項１７】
更に、上記光源と上記回折素子との間に上記光源から出射された出射光の光路中で有効光束以外の光束を遮光する遮光手段を備えることを特徴とする請求項１記載の光ピックアップ装置。
【請求項１８】
更に、上記光路変動補正手段により所定の位置に導かれる戻り光の光路中で有効光束以外の光束を遮光する遮光手段を備えることを特徴とする請求項１記載の光ピックアップ装置。
【請求項１９】
所定の波長の光を出射する光源と、
上記光源から出射された光ビームと光ディスクで反射された戻り光との光路を分離するとともに、上記戻り光の光路中において非点収差量を補正するビームスプリッタと、
上記光ディスクに上記光源から出射された出射光を集光するとともに上記光ディスクからの戻り光を集光する対物レンズと、
上記ビームスプリッタで分離された戻り光が入射される位置に配置され、上記戻り光を複数に分割する光分割手段と、
上記光分割手段により分割された複数の戻り光を複数の受光領域で受光する受光手段とを備え、
上記光分割手段は、複数の平面又は曲面により構成されたプリズムであることを特徴とする光ピックアップ装置。
【請求項２０】
上記プリズムは、略四角錐状に形成されてなり、上記光路変動補正手段で光路変動が補正された戻り光を４分割することを特徴とする請求項１９記載の光ピックアップ装置。
【請求項２１】
上記プリズムは、光路分離素子で分離された戻り光の各面への入射角が４５°以下となるようにされていることを特徴とする請求項２０記載の光ピックアップ装置。
【請求項２２】
更に、上記光源から出射された出射光の光路上で当該出射光を上記光路分離素子へ反射させ、及び／又は上記光路分離素子で分離された戻り光の光路上で上記戻り光を上記所定の位置へ反射させる反射手段を備える請求項１９記載の光ピックアップ装置。
【請求項２３】
更に、上記光源と上記光路分離素子との間の光路上に配置され、上記光源から出射された出射光を０次光及び±１次光に３分割する更に他の回折素子を備える請求項２０記載の光ピックアップ装置。
【請求項２４】
上記ビームスプリッタは、第１の面及び第２の面からなる略平板状に形成され、上記光源から出射された出射光を上記第１の面で反射するとともに、戻り光を上記第１の面及び第２の面ともに透過させることを特徴とする請求項１９記載の光ピックアップ装置。
【請求項２５】
上記ビームスプリッタは、第１の面及び第２の面からなる略平板状に形成され、上記光源から出射された出射光を上記第１の面で反射するとともに、戻り光を上記第１の面から入射させ上記第２の面で反射して再び上記第１の面を透過させることを特徴とする請求項１９記載の光ピックアップ装置。
【請求項２６】
上記ビームスプリッタは、少なくとも第１の面、第２の面及び第３の面からなり、これらの面を略二等辺三角形状に配設して形成され、上記光源から出射された出射光を上記第１の面で反射するとともに、戻り光を上記第１の面から入射させ上記第２の面で反射して上記第３の面を透過させることを特徴とする請求項１９記載の光ピックアップ装置。
【請求項２７】
更に、上記光源と上記ビームスプリッタとの間に上記光源から出射された出射光の光路中で有効光束以外の光束を遮光する遮光手段を備えることを特徴とする請求項１９記載の光ピックアップ装置。
【請求項２８】
更に、上記ビームスプリッタにより分離された戻り光の光路中で有効光束以外の光束を遮光する遮光手段を備えることを特徴とする請求項１９記載の光ピックアップ装置。
【請求項２９】
光ディスクに対して情報を記録及び／又は再生する光ピックアップと、上記光ディスクを回転駆動するディスク回転駆動手段とを備える光ディスク装置において、
上記光ピックアップは、所定の波長の光を出射する光源と、
上記光ディスクに上記光源から出射された出射光を集光するとともに上記光ディスクからの戻り光を集光する対物レンズと、
上記光源から出射された出射光を透過させ、上記光ディスクからの戻り光を回折させる回折素子と、上記回折素子で回折された戻り光が入射される位置に配置され、上記光源から出射される出射光の波長変動により上記回折素子で発生する戻り光の光路変動を補正し、所定の位置に戻り光を導く光路変動補正手段とを有する複合光学素子と、
上記光路変動補正手段で光路変動が補正された戻り光を複数の受光領域で受光する受光手段とを有することを特徴とする光ディスク装置。
【請求項３０】
光ディスクに対して情報を記録及び／又は再生する光ピックアップと、上記光ディスクを回転駆動するディスク回転駆動手段とを備える光ディスク装置において、
上記光ピックアップは、所定の波長の光を出射する光源と、
上記光源から出射された光ビームと上記光ディスクで反射された戻り光との光路を分離するとともに、上記戻り光の光路中において非点収差量を補正するビームスプリッタと、
上記光ディスクに上記光源から出射された出射光を集光するとともに上記光ディスクからの戻り光を集光する対物レンズと、
上記ビームスプリッタで分離された戻り光が入射される位置に配置され、上記戻り光を複数に分割する光分割手段と、
上記光分割手段により分割された複数の戻り光を複数の受光領域で受光する受光手段とを備え、
上記光分割手段は、複数の平面又は曲面により構成されたプリズムであることを特徴とする光ディスク装置。
【手続補正３】
【補正対象書類名】明細書
【補正対象項目名】０００１
【補正方法】変更
【補正の内容】
【０００１】
【発明の属する技術分野】
本発明は、光磁気ディスク、相変化型の光ディスク等の光学的に情報の記録再生が行われる光ディスクに対して情報を記録及び／又は再生する光ピックアップ装置及び光ピックアップ装置を備える光ディスク装置に関する。
【手続補正４】
【補正対象書類名】明細書
【補正対象項目名】００４２
【補正方法】削除
【補正の内容】
【手続補正５】
【補正対象書類名】明細書
【補正対象項目名】００４３
【補正方法】削除
【補正の内容】
【手続補正６】
【補正対象書類名】明細書
【補正対象項目名】００４４
【補正方法】削除
【補正の内容】
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】削除
【補正の内容】
【手続補正９】
【補正対象書類名】明細書
【補正対象項目名】００４７
【補正方法】削除
【補正の内容】
【手続補正１０】
【補正対象書類名】明細書
【補正対象項目名】０３００
【補正方法】削除
【補正の内容】
【手続補正１１】
【補正対象書類名】明細書
【補正対象項目名】０３０１
【補正方法】削除
【補正の内容】
【手続補正１２】
【補正対象書類名】明細書
【補正対象項目名】０３０２
【補正方法】削除
【補正の内容】